(57)【要約】【課題】マジックテープを巻出したり、正確に巻取ることができるテープ巻取器を提供する。【解決手段】２枚の側面板３、４と、これら板の間を連結する周面壁５を有し、一枚の側面板とこれに接続された周面壁の一部を切除して指先を挿入できる程度の開口部６を形成したケース７と、このケース７の中央に回転可能で、かつ、指先で操作できる状態で支持されたリール９と、このリール９の一面側に配置された渦巻きバネ１６と、他方の面側に配置されたこのリール９の開放回転を阻止するストッパー機構（１７、９ｃ）とからなるテープの巻取器。【選択図】    図３
2005289560.tif 000002
【特許請求の範囲】
【請求項１】
２枚の側面板と、これら板の間を連結する周面壁を有し、一枚の側面板とこれに接続された周面壁の一部を切除して指先を挿入できる程度の開口部を形成したケースと、前記ケースの中央に回転可能で、かつ、指先で操作できる状態で支持されたリールと、前記リールの一面側に配置された渦巻きバネと、他方の面側に配置されたこのリールの開放回転を阻止するストッパー機構とからなるテープの巻取器。
【請求項２】
円板の一部を切除して切欠部２を凹状に形成した側面板３と、円板状の側面板４と、前記側面板３、４の間を連結する周面壁５とにより、前記切欠部２を含んだ開口部６を形成したケース７と、このケース７の中央部に軸によって回転可能に支持されたリール９と、このリール９に回転力を与える渦巻きバネ１６と、前記ケースの外から、前記渦巻きバネ１６に弾性力を付与する回転板１１と、前記渦巻きバネ１６が蓄えた弾性エネルギを保持させるためのストッパ部材１７とからなり、前記開口部６よりテープＴの一端を挿入し、前記リール９にその一端を固定した状態で前記渦巻きバネ１６に蓄えられていた弾性エネルギーの回転力により前記リール９の周面に巻き込むように構成した請求項１記載のテープの巻取器。
【請求項３】
前記リール９の表面に接着性テープを付着させる部材が設けられている請求項１記載のテープの巻取器。
【請求項４】
側面板３に形成した切欠部２の縁部より後退した案内距離ｇを設けて周面板５の先端５ａを配置させた請求項１記載のテープの巻取器。
【請求項５】
ストッパ部材１７は、本体１７ａとこの本体１７ａより延長され、この本体１７ａより離れる一つの方向に曲げて形成した係止腕１７ｂと、前記係止腕１７ｂと反対側に前記本体１７ａの中央に設けられたノブ軸１７ｃを有している請求項１記載のテープの巻取器。
【発明の詳細な説明】
【技術分野】
【０００１】
本発明は、テープの巻取器、特に、接合・剥離が容易にできる接合性テープ（商品名：マジックテープ）を簡単に巻取り収納したり、引出したりすることができる巻取器の改良に関する。
【背景技術】
【０００２】
例えば、布テープや金属テープのようなテープの巻取器としては、ケース内にテープを出し入れできる巻尺が代表的なものあるが、この巻尺はケース内に巻軸を設け、この巻軸に蔓巻きバネを接続し、このバネにテープを引出す際にバネ力（巻取りエネルギー）を蓄えておいて、このテープを収納する際にその巻取エネルギーを放出しながら自動巻込できる構造のものが一般に使用されている。
【０００３】
この巻取器は、例えば、特許文献１に記載されているように、円形のケースの周面にテープを出入れする程度の狭いの案内口を開口し、そしてこのテープの端部をケースの中心に支持した軸に固定している。また、特許文献２に十分な巻取りエネルギーを蓄えるために軸を２重構造としたものが提案されている。
【特許文献１】特開平１１−２９５００１号公報
【特許文献２】登録実用新案第３０２０１０５号公報
【発明の開示】
【発明が解決しようとする課題】
【０００４】
特許文献１に記載された巻尺は、制動操作部にブレーキシューをディスク周縁とクサビ状に接触させてテープに制動を安定してかけることができるようにしたものである。しかし、このテープの端部は巻軸に固定されており、テープとケースとを別体とすることはできないものである。
【０００５】
また、特許文献２に記載された巻尺の軸構造は、軸を２重構造としてこの軸の曲げ力を強くしてテープの巻取りエネルギーを蓄積した状態で長時間保持できるように構成したものである。この巻尺の場合もケースの内部の軸に対してテープの端部を固定したものであって、前記と同様にテープとケースとを別体として使用することはできない。
【０００６】
一方、“マジックテープ”と称して販売されている接合性テープは、かっては基本特許で完全に保護され、微細なフックとこれに係合するパイルとを組合わせた新規な係合機構を採用したもので、接合が瞬時にでき、剥離に対する抵抗力が極めて強い反面、接合の分離が容易で便利なものである。
【０００７】
しかし、この接合性テープは著しく高価な素材であった関係で、それを使用する際は、そのテープを小片に切断し、例えば袋物の口部や衣類の開閉部に、この小片をそれぞれ固定し、その開閉部を簡単に開閉するようにしていた。しかし、この特許権が期限切れになると共に各社が各種の商品を安価に市場に提供するようになった。
【０００８】
この接合性テープは、例えば、幅が７〜１５ｍｍ、長さが１〜２ｍのものとして販売される場合がある。そしてこれの利用方法としては、例えば、自動車の椅子の上で鞄などの小物が移動したり、飛散しないようにまとめたり、あるいは背もたれ等の固定物に固定したりしているが、その固縛や分解操作を極めて簡単にできる。この接合性テープは紐のように縛る操作を必要がないことから、最近では子供の遊び道具にもなっている。
【０００９】
この接合性テープは、瞬時に接合される性質があるので、これを綺麗に纏めるために渦巻き状に巻く場合には、付着性が強いことから、かなり慎重に芯の周囲に巻付けなければ、テープがヨレヨレとして幅方向にはみ出して綺麗に積層されないことが多く、従って、取扱いに慣れない人や子供達にとって、この接合性テープの巻取は極めて厄介なものである。このような背景から、この接合性テープを処理する装置あるいはケースが求められていたが、必要な機能を持つものは市場に提供されなかった。
【００１０】
そこで本発明者は、前記巻尺のケースを使用し、これをそのまま利用する方法を検討したが、ケースの中から接合性テープの全部が引き出されてしまうと、再び元の状態に巻込むことが困難であり、この構造のものは全く採用できなかった。
【００１１】
問題は、接合性テープが迅速に強く接合（付着）する点にある。しかも、このテープには丸まる癖がついており、そのために放置しているだけでも自然にダンゴ状になる性質があり、従って、この癖のあるテープを綺麗に渦巻き状に巻くことは到底できない。また、この種のテープを巻尺のようにケースに入れて収容しておき、これの全部をケースより解き出して使用する場合、使用したものを再びケース内に巻込もうとしても、従来の巻尺などのに使用されている巻取器ではこのような操作を全く行うことができないものである。
【００１２】
この問題は、従来の巻尺では付着性のあるテープを扱う必要がないこと、そしてテープ全部をケースより取出して使用した後にケースの中央部に支持されている巻軸に再び固定することができない構造に起因している。
【００１３】
本発明は、前記従来の巻尺などのテープの巻取器の持つ欠点を解消し、簡単に接合性テープの端部をリール（巻軸）に固定することができる装置を提供することにある。更に、渦巻きバネが完全に開放されて巻取りエネルギーが全く喪失した時に、指先をケースの中に進入させてリール自体に回転を与えて巻込むことができる巻取器を提供することを目的とするものである。
【課題を解決するための手段】
【００１４】
本発明に係るテープの巻取器は、次のように構成されている。
【００１５】
１）２枚の側面板（表面板と裏面板）と、前記両側面板の間を連結する側壁を有し、表面板とこれに接続された側壁の一部を切除して指先を挿入できる程度の開口部を形成したケースと、このケースの中央に回転可能で、かつ、指先で操作できる状態で支持されたリールと、  前記リールの一面側に配置された渦巻きバネと、他方の面側に配置されたこのリールの開放回転を阻止するストッパー機構とからなることを特徴としている。
【００１６】
２）円板の一部を切除して切欠部２を凹状に形成した表面板３と、円板状の裏面板４と、前記表面板３と裏面板４との間を連結する周面壁５とにより、前記切欠部２を含んだ開口部６を形成したケース７と、このケース７の中央部に軸によって回転可能に支持されたリール９と、このリール９に回転力を与える渦巻きバネ１６と、前記ケースの外から、前記渦巻きバネ１６に弾性力を付与する回転板１１と、前記渦巻きバネ１６が蓄えた巻取りエネルギを保持させるためのストッパ部材１７とからなり、前記開口部６よりテープＴの一端を挿入し、前記リール９にその一端を固定した状態で前記渦巻きバネ１６に蓄えられていた弾性エネルギーの回転力により前記リール９の周面に巻き込むように構成したことを特徴としている。
【００１７】
３）前記リール９の巻取り面に接着性テープを付着させる部材が設けられていることを特徴としている。また、表面板３に形成した切欠部２の縁部より後退した案内距離ｇを設けて周面板５の先端５ａを配置させたことを特徴としている。更に、ストッパ部材１７は、本体１７ａとこの本体１７ａより延長され、この本体１７ａより離れる一つの方向に曲げて形成した係止腕１７ｂと、前記係止腕１７ｂと反対側に前記本体１７ａの中央に設けられたノブ軸１７ｃを有することを特徴としている。
【発明の効果】
【００１８】
本発明に係るテープの巻取器１は、テープの引出し操作の際の大型のリール９の回転に伴なって渦巻きバネ１６によるバネ力である巻取りエネルギーを蓄えておき、ケース７の側面に大きく開いた開口部６を通じてテープＴの先端Ｔａを案内してリール９の表面に付着させ、ボタン軸１７ｃを操作してこの巻取りエネルギーを解除することによって、このテープＴを自動的に巻取器１内に巻込むことができる。
【００１９】
従って、テープＴの全体をケース７より取出しても、これを再び簡単に巻き込むことができる。また、開口部６より指先でテープに触りながらリール９を回転させることができるので、巻き取りや巻き戻しの際のテープとリール９のトラブルを簡単に解消することができる。
【発明を実施するための最良の形態】
【００２０】
次に、図面を参照して本発明にかかる巻取器の実施の形態を説明する。
【００２１】
図１は巻取器１の正面図、図２は同背面図であり、また、図３と図４は使用状態の説明図である。
【００２２】
図１に示すように、本発明に係るテープ巻取器１は、切欠部２を形成した表面板３と図２に示した円板状の裏面板４との間を周面壁５をＵ字形に形成して大きな開口部６をあけたケース７を構成している。なお、ケースは周面壁５の部分を適宜切断したハーフケースとし、これらを合わせて組立てた構造のものが一般に使用されており、本発明においてもこれを適用できる。
【００２３】
そしてこのケース７の中央部に太目のリール９を固定軸１３（図５）によって回転自在に支持している。このリール９の上面中央に巻込みスタートボタンとして作用するボタン軸１７ｃ軸の端部が露出しており（図１）、また、裏面に渦巻きバネ１６を巻込むための回転板１１を設けている。この回転板１１の表面に中央部の肉を山形に残して両側を凹形にしてつまみ部１２を形成している。
【００２４】
図５は、巻取器１を分解してその構成部品をを示す斜視図であり、この例においては表面板３に周面壁５を一体に成形している。そして中央部に渦巻きバネ１６の固定端１６ａを挟持するスリット１４を形成した固定軸１３が突出して設けられている。前記周面壁５の先端５ａをナイフ状に斜めに薄肉に形成すると共に切欠部２との間に後退距離ｇ、ｇ’をおいて、この後退距離ｇ、を形成した表面板３の部分を接合性テープＴを巻込む時の案内面ｆとしている（図３参照）。
【００２５】
リール９は、中心に穴９ｆをあけた円板部９ａをリング状の巻取部９ｂの幅の中間に配置してホィール状に形成している。そしてこの円板部９ａの表面には複数個のストッパ９ｃを配置しているが、このストッパ９ｃは側面視で三角形に形成されている。また、リング状の巻取部９ｂの内面に回り止め９ｄと円周方向に溝９ｅを形成し、更に、渦巻きバネ１６の外周端１６ｂを固定するための２本の切欠き９ｈを設けている。また、表面につまみ部１２を形成した断面がキャップ状の回転板１１の壁面には、リール９の巻取部９ｂの内面に形成した回り止め９ｄを受入れる係合部１１ｂと、円周方向の溝９ｅに係合する突条１１ａを設けている。
【００２６】
１７はサボテン形をしたストッパ部材であって、本体１７ａの両縁部に係止腕１７ｂを延長させ、更に前記本体１７ａの中央の裏側に巻込みスタートボタンの役目をするボタン軸１７ｃを延長させている。また、表面板３の中央に管状の固定軸１３を突出しており、この固定軸１３は、前記リール９の円板部９ａの中央にあけた穴９ｆを貫通する長さを持ち、この固定軸１３によってリール９を回転可能に支持する。
【００２７】
そして前記管状の固定軸１３の中央の孔１３ａに、前記ストッパ部材１７に形成したボタン軸１７ｃを貫入して支持させ、表面板３の中央に設けた孔よりこのボタン軸１７ｃの先端を露出させている（図６）。そしてこのボタン軸１７ｃを孔１３ａ内に押込むことによってストッパ部材１７の本体１７ａを裏面板４側に移動させ、この本体１７ａとストッパ９ｃとの係合を外すようになっている。
【００２８】
図６は図５に記載した矢印６−６方向の断面図、また、図７は矢印７−７の方向の断面図である。図６においてはストッパ部材１７の本体１７ａの側面にリール９の円板部９ａに設けたストッパ９ｃが接触してリール９の戻りを防止して渦巻きバネ１６の巻取りエネルギーを保持する状態を示している。また、図７においては、表面板３の内面に設けた固定軸１３の先端に形成した溝１３ｂに前記本体１７ａを嵌合支持させてストッパ部材１７を表面板３（即ちケース７）に対して回転しないように固定した状態を示している。
【００２９】
図３は、本発明に係る巻取器１に接合性テープＴを巻込む状態を示している。なお、この状態においてはリール９に内蔵している渦巻きバネ１６は十分に巻込まれて巻取りエネルギーが蓄えられている。
【００３０】
リール９から外して各種の用途に使用された接合性テープＴを巻取器１に巻込む際には、図３に示すように接合性テープＴａの先端を開口部６より円板状の裏面板４に沿わせて案内させながらリール９の表面に接触させ、その表面に形成されている接合性テープなどの接合手段が設けられている巻取部９ｂにその先端を接触させて付着させる。
【００３１】
そして巻込スタートボタンの作用をするボタン軸１７ｃ（図６、７）を固定軸１３の中央の孔１３ａ内に押し込む。すると、ストッパ部材１７の本体１７ａとリール９の円板部９ａ上に形成されている三角断面のストッパ９ｃとの係合が外れ、このリール９が渦巻きバネ１６に蓄えられていた巻取りエネルギーによって駆動されてリール９上に接合性テープＴを自動的に巻取っていく。
【００３２】
前記のようにして接合性テープＴは巻取器１内に巻込まれて収納される。そしてこのテープＴを引出す時には、図４に示すように開口部６に指先を入れ、接合性テープＴの巻層物の周面を矢印のように回すことでこのテープ状物Ｔの終端Ｔｂを探しだし、これを引出してこのテープ状物Ｔを適宜の方法が使用する。なお、このテープＴの巻出し操作によるリール９の回転にしたがって渦巻きバネ１６に、次回のテープＴを自動的に巻込むに十分な巻取りエネルギーが蓄積されることになる。
【００３３】
前記のようにバネ力が蓄積されている状態において、何らかの誤操作によりボタン軸１７ｃが押込まれると、前記のようにリール９のストッパ９ｃとストッパ部材１７の本体１７ａとの係合が外れ、渦巻きバネ１６に蓄積されてあった巻取りエネルギーが瞬時に解除され、もはや、テープＴをリール９上に巻込む力がなくなる。
【００３４】
このような場合は、裏面板４の中央に配置されている回転板１１に形成されているつまみ部１２を指先で挟持しながら回転させる。この操作において、ストッパ部材１７とリール９に形成されている複数個のストッパ９ｃとの、カチカチという係合音と共に渦巻きバネ１６に巻取りエネルギー（バネ力）を蓄えることができる。
【００３５】
本発明に係るテープ巻取器によると、テープＴを任意の長さに引出し切断、又は引出したテープＴを何らかの用途に使用する。そして使用した後のテープＴを再び収納する際には、このテープＴをリール９の周面に付着あるいはリール９に設けた固定部に固定し、図６、７に示した回転板１１（押圧部あるいは手巻具であって、リール９と同一に回転する）と軸１７ｃ（スタートボタン軸）とを２本の指で挟むように押圧力を調整しながら押圧することによって、テープＴの自動巻取りの速度を調整しながら、自動的に巻き込むことができる。
【００３６】
本発明に係るテープ状物の巻取器１は、大型のリール９に渦巻きバネ１６によるバネ力を蓄えておき、ケース７の側面（テープＴの巻層物を形成する部分）に大きく開いた開口部６よりテープＴの先端Ｔａを案内してリール９の表面に付着させ、ボタン軸１７ｃを操作してこの巻取りエネルギーを解除することによって、このテープＴを自動的に巻取器１内に巻込むことができる。
【００３７】
この接合性テープＴの終端部を探す時には、図４に示すように前記開口部６より指先を入れてテープＴの巻層物を回転させて行ない、次いでテープＴをゆっくりと巻取器１のケース７より引出すことによって、所定の巻取りエネルギーを蓄えた状態でこのテープＴをいろいろな用途に使用することができる。
【００３８】
また、この巻取器１は、図３及び図５に示すように、テープＴの両側面を２枚の側面板３、４で案内しながら巻込むので、リール９に正確に巻込むことができる。
【００３９】
本発明のテープの巻取器は、主として接合性テープを巻取るためのものであるが、このテープに限定されることなく、ケース内に収容したり、取出して使用したりする操作を繰り返して行うテープの巻取りに使用できるものであり、このケース７に大きな開口部６を持ち、これよりリール９を回転させることができる点に特徴がある。
【図面の簡単な説明】
【００４０】
【図１】本発明の実施の形態に係るテープの巻取器の表面を示す斜視図である。
【図２】本発明の実施の形態に係るテープの巻取器の裏面を示す斜視図である。
【図３】巻取器にテープを巻取る際の操作を示す説明図である。
【図４】巻取器に巻かれていたテープの端部を探す操作の説明図である。
【図５】巻取器を構成する部材を分解して示す斜視図である。
【図６】リールと渦巻きバネとストッパ部材と回転板の状態を示す断面図である。
【図７】図６と同様な箇所の断面図である。
【符号の説明】
【００４１】
１  テープ巻取器      ２  切欠部      ３  表面板      ４  裏面板
５  周面壁        ６  開口部      ７  ケース      ９  リール
９ａ  円板部      ９ｂ  巻取部      ９ｃ  ストッパ      ９ｄ  回り止め
９ｅ  溝          ９ｆ  孔          ９ｈ  切欠き
１１  回転板      １２  つまみ部      １３  固定軸      １６  渦巻きバネ
１７  ストッパ部材        １７ａ  本体      １７ｂ  係止腕
１７ｃ  ボタン軸                                                                Ｔ  接合性テープ（テープ状物）    ｆ  案内面
【図１】
2005289560.tif 000003
【図２】
2005289560.tif 000004
【図３】
2005289560.tif 000005
【図４】
2005289560.tif 000006
【図５】
2005289560.tif 000007
【図６】
2005289560.tif 000008
【図７】
2005289560.tif 000009